(57)【要約】【課題】  汚物が入れられた汚物袋を密封した状態でスペース効率よく保管することができるようにする。【解決手段】  本発明の汚物保管セット１は、汚物保管箱２と、吸引ポンプ３とを備えている。汚物保管箱２は、汚物が入れられた汚物袋Ｗを収納可能な箱体４と、該箱体４の内側にセットされて汚物袋Ｗを収納する中袋５と、該箱体４の中に汚物袋Ｗを押し込むための中蓋６と、該箱体４を密封状態で収納可能な袋体７とを備えている。袋体７は、箱体４が出し入れ可能かつ該箱体４を入れた状態で密封可能に構成された口部８と、該袋体内部の気体を排出するための逆止弁付き排気孔９とを備えている。排気孔９は、気体を吸引するための吸引ポンプ３が接続可能に構成されている。【選択図】      図１
2013249202.tif 000002
【特許請求の範囲】
【請求項１】
汚物が入れられた汚物袋を収納可能な箱体と、
前記箱体の内側にセットされて前記汚物袋を収納する中袋と、
該箱体を密封状態で収納可能な袋体と
を備えた汚物保管箱。
【請求項２】
前記箱体は、上下に延びる有底筒形の胴部と、互いに対峙するようにして該胴部の上端にそれぞれ連設された一対のフラップとを含み、
前記中袋の開口部及び前記一対のフラップは、互いに着脱可能に構成されるとともに、互いに取り付けられた状態で前記一対のフラップの開閉に連動して前記開口部が開閉するように構成された請求項１記載の汚物保管箱。
【請求項３】
前記中袋は、その開口を上向きにして前記胴部の内面に敷き詰められた状態で、該胴部の上端の開口から少なくとも前記フラップの長さ分余分な深さを有するように形成されており、
該余分な深さの部位を外側に折り返して前記一対のフラップに被せることにより、前記中袋の開口部及び前記一対のフラップが互いに着脱可能に構成された請求項２記載の汚物保管箱。
【請求項４】
該中袋の内側には、該汚物袋から漏れた水分を吸収するための吸水手段が設けられた請求項１〜３のいずれか一項に記載の汚物保管箱。
【請求項５】
前記箱体の内底に敷く底蓋を備えた請求項１〜４のいずれか一項に記載の汚物保管箱。
【請求項６】
前記箱体の中に前記汚物袋を押し込むための中蓋を備えた請求項１〜５のいずれか一項に記載の汚物保管箱。
【請求項７】
該袋体は、前記箱体が出し入れ可能かつ該箱体を入れた状態で密封可能に構成された口部と、該袋体内部の気体を排出するための逆止弁付き排気孔とを備えた請求項１〜６のいずれか一項に記載の汚物保管箱。
【請求項８】
前記排気孔は、その排気側の開口に、気体を吸引するための吸引ポンプの吸気口が接続可能に構成された請求項７記載の汚物保管箱。
【請求項９】
請求項８記載の前記汚物保管箱及び前記吸引ポンプを備えた汚物保管セット。
【発明の詳細な説明】
【技術分野】
【０００１】
本発明は、においを放出する排泄物などの汚物が入った汚物袋を保管するための汚物保管箱及び汚物保管セットに関するものである。
【背景技術】
【０００２】
従来技術としては、特許文献１に記載された汚物収納袋を例示する。図８に示すように、この汚物収納袋５０は、使用済みの紙おむつ、お尻拭きや悪臭を放つ生ゴミなどの汚物５６を、その回収日までのある程度の日数手元で保管する時に臭気の発生を防止するためのものであり、活性炭シート５１と機密性シ−ト５２とが一部域又は全域的に重ね合わされた袋で、活性炭シート面が袋内側に位置してなるものである。
【先行技術文献】
【特許文献】
【０００３】
【特許文献１】特開２００１−９７５０１号公報
【発明の概要】
【発明が解決しようとする課題】
【０００４】
ところが、従来の汚物収納袋５０は袋体であるため、使用済みのそれを大量に保管するとき（例えば、震災等の災害時において復旧までに長期間を要し、その間に発生した大量の使用済み汚物収納袋５０を保管するとき等）、次の課題がある。
（１）汚物５６を圧縮して詰め込むと、破裂することがある。
（２）汚物５６を収容すると丸く膨らんだ形状になるので、保管スペースを節約するために多数の汚物収納袋５０を垂直方向に積み重ねると、周囲が崩れて山積みの状態になってしまう。このため、保管時のスペース効率や見た目が悪い。
（３）汚物収納袋５０を積み重ねると、下の方にある汚物収納袋５０が圧力で破裂し易い。そして、もし破裂するとそこから悪臭が放出されてしてしまう。
（４）形状が一定していないので、大量に発生した使用済み汚物収納袋５０を回収する処理の機械化が難い。
【課題を解決するための手段】
【０００５】
前記課題を解決するために、第１の発明の汚物保管箱は、
汚物が入れられた汚物袋を収納可能な箱体と、
前記箱体の内側にセットされて前記汚物袋を収納する中袋と、
該箱体を密封状態で収納可能な袋体と
を備えている。
【０００６】
前記箱体としては、特に限定されないが、焼却処理が容易なものが好ましく、例えば、段ボール製や厚紙製のものが挙げられる。また、前記箱体の形状としては、直方体状、立方体状、円柱状、角柱状、角錐状、円錐状、角錐台状、円錐台状などの形状を例示する。  
【０００７】
この構成によれば、前記汚物袋を前記箱体に収納するように構成されているので、（１）該汚物袋を該箱体の中に圧縮して詰め込むことができる、（２）積み重ねたり、整列させたりすることが容易で、スペース効率よく保管することができる、（３）形状が一定しているので大量に発生した汚物を回収する処理の機械化を容易に実現できる。また、前記汚物袋を前記中袋に収容するとともに、前記袋体により前記箱体を密封するように構成されているので、汚物から発生する悪臭を強力に閉じこめることができる。
【０００８】
第２の発明の汚物保管箱としては、前記第１の発明において、
前記箱体は、上下に延びる有底筒形の胴部と、互いに対峙するようにして該胴部の上端にそれぞれ連設された一対のフラップとを含み、
前記中袋の開口部及び前記一対のフラップは、互いに着脱可能に構成されるとともに、互いに取り付けられた状態で前記一対のフラップの開閉に連動して前記開口部が開閉するように構成された態様を例示する。
【０００９】
この構成によれば、前記箱体の容量一杯になるまでの間は、前記中袋の開口部及び前記一対のフラップが互いに取り付けられた状態にしておけば、前記一対のフラップの開閉に連動して前記開口部が開閉するので、簡単な操作で、前記箱体内にセットされた前記中袋の中に前記汚物袋を投入することができる。そして、前記箱体の容量一杯になったときは、前記中袋の開口部及び前記一対のフラップが互いに取り外された状態にするとともに該中袋の開口を密封すれば、汚物から発生する悪臭を前記中袋内に閉じこめることができる。
【００１０】
第３の発明の汚物保管箱としては、前記第２の発明において、
前記中袋は、その開口を上向きにして前記胴部の内面に敷き詰められた状態で、該胴部の上端の開口から少なくとも前記フラップの長さ分余分な深さを有するように形成されており、
該余分な深さの部位を外側に折り返して前記一対のフラップに被せることにより、前記中袋の開口部及び前記一対のフラップが互いに着脱可能に構成された態様を例示する。
【００１１】
この構成によれば、前記中袋の開口部及び前記一対のフラップが互いに着脱可能な構成を簡単かつ低コストに実現できる。
【００１２】
前記中袋の開口部及び前記一対のフラップが互いに着脱可能な構成としては、特に限定されないが、さらに次のような態様を例示できる。
（１）前記中袋の開口部及び前記一対のフラップを着脱手段（例えば、面ファスナー、粘着剤、両面粘着テープなど）により着脱可能に構成する態様。
（２）前記一対のフラップに切れ目や突部を設け、該切れ目や突部に前記中袋の開口部を着脱可能に係止するように構成する態様。
【００１３】
第４の発明の汚物保管箱としては、前記第１〜３のいずれかの発明において、
該中袋の内側には、該汚物袋から漏れた水分を吸収するための吸水手段が設けられた態様を例示する。
【００１４】
前記吸水手段としては、特に限定されないが、吸水剤（吸水性樹脂等）、吸水シート、吸水スポンジ等を例示する。
【００１５】
この構成によれば、前記箱体の中で前記汚物袋が破裂したときでも、そこから漏れ出た汚物を前記中袋の中に閉じこめておくとともに、前記吸水手段に吸水させることができる。
【００１６】
第５の発明の汚物保管箱としては、前記第１〜４のいずれかの発明において、
前記箱体の内底に敷く底蓋を備えた態様を例示する。
【００１７】
この構成によれば、前記箱体の底部を補強することができ、該底部が損傷することによる汚物や悪臭の漏洩を防止することができる。
【００１８】
第６の発明の汚物保管箱としては、前記第１〜５のいずれかの発明において、
前記箱体の中に前記汚物袋を押し込むための中蓋を備えた態様を例示する。
【００１９】
この構成によれば、汚物袋を該箱体の中に圧縮して詰め込むときに、万一汚物袋が破裂したときでも、汚物に触れることを防止できる。
【００２０】
第７の発明の汚物保管箱としては、前記第１〜６のいずれかの発明において、
該袋体は、前記箱体が出し入れ可能かつ該箱体を入れた状態で密封可能に構成された口部と、該袋体内部の気体を排出するための逆止弁付き排気孔とを備えた態様を例示する。
【００２１】
この構成によれば、前記袋体の口部を簡単に密封することができるとともに、該袋体内に残留する気体を容易に排出することができる。
【００２２】
第８の発明の汚物保管箱としては、前記第７の発明において、
前記排気孔は、その排気側の開口に、気体を吸引するための吸引ポンプの吸気口が接続可能に構成された態様を例示する。
【００２３】
前記吸引ポンプの駆動方式としては、特に限定されず、手動式や電動式などを例示する。
【００２４】
この構成によれば、前記袋体内の気体を容易に排出することができる。
【００２５】
第９の発明の汚物保管セットとしては、前記第８の発明に係る前記汚物保管箱及び前記吸引ポンプを備えている。
【００２６】
この構成によっても、前記第７の発明と同様の効果が得られる。
【発明の効果】
【００２７】
本発明に係る汚物保管箱及び汚物保管セットによれば、汚物が入れられた汚物袋を密封した状態でスペース効率よく保管することができるという優れた効果を奏する。
【図面の簡単な説明】
【００２８】
【図１】本発明を具体化した第一実施形態に係る汚物保管セットの構成を示す斜視図である。
【図２】同汚物保管セットにおける袋体の排気孔を示す図であり、（ａ）は正面図、（ｂ）は背面図、（ｃ）は断面図である。
【図３】同汚物保管セットの使用方法を示す図である。
【図４】本発明を具体化した第二実施形態に係る汚物保管箱の構成要素を示す図である。
【図５】同汚物保管箱の箱体の展開図である。
【図６】同汚物保管箱に中袋をセットした状態を示す斜視図であり、（ａ）は一対の内蓋片を開いた状態、（ｂ）は一対の内蓋片を閉じた状態をそれぞれ示している。
【図７】同汚物保管箱の使用用法を示す図である。
【図８】従来の汚物収納袋に汚物が収容された状態を示す図である。
【発明を実施するための形態】
【００２９】
図１〜図３は本発明を具体化した第一実施形態の汚物保管箱２を含む汚物保管セット１を示している。図１に示すように、この汚物保管セット１は、汚物保管箱２と、吸引ポンプ３とを備えている。また、同図に示すように、汚物保管箱２は、汚物袋Ｗを収納可能な箱体４と、該箱体４の内側にセットされて汚物袋Ｗを収納する中袋５と、該箱体４の中に汚物袋Ｗを押し込むための中蓋６と、該箱体４を密封状態で収納可能な袋体７とを備えている。
【００３０】
本発明による保管対象の汚物袋Ｗには、簡易トイレにて排泄された排泄物、使用済みの紙おむつ、お尻拭きや悪臭を放つ生ゴミなどの汚物が収容される。
【００３１】
箱体４は、本例では、段ボールシートを素材とする直方体状の箱となっており、上部及び下部にそれぞれ開閉可能な蓋４ａが設けられている。本例の箱体４は上下の蓋４ａが開かれて、折り畳まれた状態で提供される。本例では、段ボールシートとしてＡフルートを採用している。本例の箱体４の外形寸法は、横幅が３００ｍｍ、奥行きが３００ｍｍ、高さが３５０ｍｍとなっている。なお、箱体４としては、段ボール製に限定されず、例えば厚紙製にしてもよい。また、箱体４の形状としては、直方体状に限定されず、立方体状、円柱状、角柱状、角錐状、円錐状、角錐台状、円錐台状など適宜変更することができる。
【００３２】
中袋５は、ポリエチレン（ＰＥ）製であり、箱体４よりも大容量となっている。中袋５の内側には、不織布製の袋にパックされた吸水手段としての吸水剤５ａが入れられている。この吸水剤５ａに加え、水分から放出される悪臭を消臭する消臭手段としての消臭剤を中袋５の内側に入れるようにしてもよい。
例えば後述する第二実施形態に示すように、中袋５の開口部及び箱体４の上部における互いに対峙する一対のフラップとしての蓋４ａは、互いに着脱可能に構成されるとともに、互いに取り付けられた状態で一対の蓋４ａの開閉に連動して前記開口部が開閉するように構成することもできる。
【００３３】
中蓋６は、本例では箱体４と同様の段ボールシートからなっている。本例の中蓋６の外形寸法は、横幅及び奥行きがともに２７５ｍｍとなっている。
【００３４】
袋体７は、ポリエチレンテレフタラート（ＰＥＴ）及びポリエチレン（ＰＥ）製であり、箱体４が出し入れ可能かつ該箱体４を入れた状態で密封可能に構成された口部８と、該袋体内部の気体を排出するための排気孔９とを備えている。本例の口部８は、開閉可能な２重のシール構造を備えたチャック８ａと、該チャックを閉じるためのスライダー８ｂとを備えている。本例の排気孔９は、図２に示すように、気体通路１２を有し、該気体通路１２には逆止弁９ｂが装着されている。逆止弁９ｂはゴム又は軟質樹脂からなっており、袋体７の内部から排出する気体の流れに対しては開き、その逆の流れに対しては閉じるようになっている。排気孔９には、その排気側の開口９ａを密封するためのスクリュー式の蓋１０が設けられている。排気側の開口９ａには、蓋１０に代えて、気体を吸引するための吸引ポンプ３の吸気口３ａが接続可能に構成されている。
【００３５】
吸引ポンプ３は、袋体７内の気体を吸引可能なものであれば特に限定されない。本例では、手動式のシリンダーポンプを採用しているが、これに限定されず、電動式など他の駆動方式のものを採用することもできる。
【００３６】
次に、図３を参照しながら、本例の汚物保管セット１を用いて汚物袋Ｗを密封する方法の一例を説明する。まず、同図（ａ）に示すように、箱体４を組み立てて、中袋５をセットする。次いで、同図（ｂ）に示すように、使用済みの汚物袋Ｗを箱体４の容量一杯になるまで入れる。次いで、同図（ｃ）に示すように、中袋５の口を結んで封をする。次いで、同図（ｄ）に示すように、中蓋６で中袋５を箱体４の中に押し込む。次いで、同図（ｅ）に示すように、箱体４の上下の蓋４ａに荷造りテープ１１などで封をする。次いで、同図（ｆ）に示すように、袋体７の中に箱体４を入れ、口部８（２重チャック）を密封するとともに、排気孔９に吸引ポンプ３の吸気口３ａを接続し、袋体７の中の気体を抜く。次いで、同図（ｇ）に示すように、排気孔９から吸引ポンプ３を取り外し、そこにスクリュー式の蓋１０を取り付けると、汚物袋Ｗの密封が完了する。
【００３７】
なお、本例の汚物保管セット１の使用方法はこれに限定されず、適宜変更することもできる。例えば、前述した使用方法において、同図（ｂ）の段階の前に、箱体４の下の蓋４ａに荷造りテープ１１などで封をする作業と、袋体７の中に箱体４を入れておく作業とを先に行っておくこともでき、こうすると、使用済みの汚物袋Ｗが箱体４の容量一杯になるまでの間も、袋体７の口部８を密封することにより、悪臭を閉じこめることができる。また、前述した使用方法では吸引ポンプ３を用いているが、これを用いずに、例えば手で袋体７を圧縮することにより、袋体７の中の気体を抜くようにしてもよい。
【００３８】
以上のように構成された本発明によれば、汚物袋Ｗを箱体４に収納するように構成されているので、（１）該汚物袋Ｗを該箱体４の中に圧縮して詰め込むことができる、（２）積み重ねたり、整列させたりすることが容易で、スペース効率よく保管することができる、（３）形状が一定しているので大量に発生した汚物を回収する処理の機械化を容易に実現できる。また、汚物袋Ｗを中袋５に収容するとともに、袋体７により箱体４を密封するように構成されているので、汚物から発生する悪臭を閉じこめることができる。
【００３９】
また、袋体７は、箱体４が出し入れ可能かつ該箱体４を入れた状態で密封可能に構成された口部８と、該袋体７内部の気体を排出するための逆止弁付き排気孔９とを備えている。この構成によれば、袋体７の口部８を簡単に密封することができるとともに、該袋体７内に残留する気体を容易に排出することができる。
【００４０】
また、中袋５の内側には、該汚物袋Ｗから漏れた水分を吸収するための吸水剤５ａが設けられているので、箱体４の中で汚物袋Ｗが破裂したときでも、そこから漏れ出た汚物を中袋５の中に閉じこめておくとともに、吸水剤５ａに吸水させることができる。
【００４１】
また、箱体４の中に汚物袋Ｗを押し込むための中蓋６を備えているので、汚物袋Ｗを該箱体４の中に圧縮して詰め込むときに、万一汚物袋Ｗが破裂したときでも、汚物に触れることを防止できる。
【００４２】
また、排気孔９は、その排気側の開口９ａに、気体を吸引するための吸引ポンプ３の吸気口３ａが接続可能に構成されているので、袋体内の気体を容易に排出することができる。
【００４３】
次に、図４〜図７は本発明を具体化した第二実施形態を示している。本例の汚物保管箱２は、以下に示す点において、主に第一実施形態と相違している。従って、同実施形態と共通する部分については、同一符号を付することにより重複説明を省く。
【００４４】
本例の汚物保管箱２は、図４に示すように、汚物袋Ｗを収納可能な箱体４と、該箱体４の内底に敷く底蓋２１と、該箱体４の内側にセットされて汚物袋Ｗを収納する中袋５と、箱体４に封をするためのシール２２と、該箱体４を密封状態で収納可能な袋体７とを備えている。
【００４５】
本例の箱体４は、図６に示すように、上下に延びる有底筒形の胴部２５を備えている。胴部２５は、図５の展開図に示すように、後側、左側、前側、右側の側壁２６、継代片２６ａが順次折曲可能に連設されており、継代片２６ａの外面が後側の側壁２６の内面に貼り付けられることにより、筒状に形成される。各側壁の下縁には、底片２７，２８が折曲自在に連設されている。各側壁の上縁には、天蓋片２９、内蓋片３０、支持片３１及び内蓋片３０が折曲自在に連設されている。左右の側壁２６には、取っ手部を形成するためのＣ字状の切れ目２６ｂが形成されている。本例の箱体４の表面には、「使用済み」、「汚物保管箱」、「横倒し厳禁！」などの注意を促す表示３２が設けられている。
【００４６】
底片２７，２８はそれぞれ折曲自在に接合（図５における底片２７の接合部２７ａが、その右側の底片２８の被接合部２８ａに接合）されて、箱体の組み立て折り畳みに連動して互いに重なり合うことにより底部を形成するようになっている。
【００４７】
天蓋片２９は、片開きの蓋になっており、先端に差込片２９ａが設けられている。天蓋片２９に対峙する支持片３１は、箱体内に折り込まれ、天蓋片２９の先端部を支持するとともに、差込片２９ａが差し込まれる切れ目３１ａが設けられている。天蓋片２９の左右において互いに対峙するフラップとしての内蓋片３０，３０は、天蓋片２９と支持片３１との間に折り込まれ、天蓋片２９を支持するようになっている。
【００４８】
底蓋２１は、本例では箱体４と同様の段ボールシートからなっている。この底蓋２１に代えて、又は底蓋２１とともに第一実施形態と同様の中蓋６を備えるようにしてもよい
【００４９】
本例の中袋５は、その開口を閉じるための口紐３３を有する黒色の巾着状に形成されている。また、この中袋５は、その開口を上向きにして前記胴部２５の内面に敷き詰められた状態で、該胴部２５の上端の開口から内蓋片３０の長さの約２倍、余分な深さを有するように形成されている。そして、図６（ａ）に示すように、この余分な深さの部位を外側に折り返して一対の内蓋片３０に被せることにより、中袋５の開口部及び一対の内蓋片３０が互いに着脱可能に構成されている。
【００５０】
本例の袋体７は、その開口を閉じるための口紐３３を有する透明の巾着状に形成されている。本例の袋体７は、第一実施形態とは異なり、チャック、スライダー及び排気孔は備えていないが、第一実施形態と同様のものを採用することもできる。
【００５１】
次に、図７を参照しながら、本例の汚物保管箱２を用いて汚物袋Ｗを密封する方法の一例を説明する。まず、同図（ａ）に示すように、箱体４を組み立てる。次いで、同図（ｂ）に示すように、底蓋２１を箱体４の内底に敷くとともに、袋体７を箱体４の下から箱体４の高さ方向の途中まで被せておく。次いで、同図（ｃ）に示すように、中袋５を、その開口が上向きになるようにして胴部２５の内面に敷き詰めるとともに、中袋５の開口部を外側に折り返して一対の内蓋片３０に被せる。すると、中袋５の開口部及び一対の内蓋片３０は、互いに取り付けられた状態になり、図６に示すように、該一対の内蓋片３０の開閉に連動して中袋５の開口部が開閉するようになるので、使用済みの汚物袋Ｗを中袋５に簡単に投入することができる。このとき、汚物袋Ｗはできるだけ空気を抜き、開口をしっかり結んでおくことが好ましい。次いで、同図（ｄ）に示すように、箱体４（中袋５）が汚物袋Ｗで一杯になったときは、中袋５の開口部を一対の内蓋片３０から取り外し、口紐３３を左右に引っ張ることにより中袋５の開口を閉じるとともに、口紐３３で開口を縛ることにより密封する。次いで、同図（ｅ）に示すように、箱体４の天蓋片２９の差込片２９ａを支持片３１の切れ目３１ａに差し込むことにより天蓋片２９を閉じるとともに、シール２２で封印する。次いで、同図（ｆ）に示すように、袋体７を引き上げ、口紐３３を左右に引っ張ることにより袋体７の開口を閉じるとともに、口紐３３で開口を縛ることにより密封すると、汚物袋Ｗの密封が完了する。なお、汚物保管箱２を移動させるときは、Ｃ字状の切れ目２６ｂの内側を押し込むと、取っ手部を形成することができる。
【００５２】
本例の汚物保管箱２によれば、第一実施形態と同様の効果に加え、次の効果を得ることができる。
【００５３】
すなわち、本例の汚物保管箱２は、中袋５の開口部及び一対の内蓋片３０が、互いに着脱可能に構成されるとともに、互いに取り付けられた状態で一対の内蓋片３０の開閉に連動して前記開口部が開閉するように構成されている。
この構成によれば、箱体４の容量一杯になるまでの間は、図６に示すように、中袋５の開口部及び一対の内蓋片３０が互いに取り付けられた状態にしておけば、一対の内蓋片３０の開閉に連動して前記開口部が開閉するので、簡単な操作で、箱体４内にセットされた中袋５の中に汚物袋Ｗを投入することができる。そして、箱体４の容量一杯になったときは、中袋５の開口部及び一対の内蓋片３０が互いに取り外された状態にするとともに該中袋５の開口を密封すれば、汚物から発生する悪臭を中袋５内に閉じこめることができ、袋体７とともに該悪臭を強力に密封できる。
【００５４】
また、中袋５は、その開口を上向きにして胴部２５の内面に敷き詰められた状態で、該胴部２５の上端の開口から内蓋片３０の長さの約２倍、余分な深さを有するように形成されており、該余分な深さの部位を外側に折り返して一対の内蓋片３０に被せることにより、中袋５の開口部及び一対の内蓋片３０が互いに着脱可能に構成されている。
この構成によれば、中袋５の開口部及び一対の内蓋片３０が互いに着脱可能な構成を簡単かつ低コストに実現できる。
【００５５】
また、箱体４の内底に敷く底蓋２１を備えているので、箱体４の底部を補強することができ、該底部が損傷することによる汚物や悪臭の漏洩を防止することができる。
【００５６】
なお、本発明は前記実施形態に限定されるものではなく、例えば以下のように発明の趣旨から逸脱しない範囲で適宜変更して具体化することもできる。
（１）第二実施形態において、その袋体に代えて、第一実施形態の袋体を採用した態様とすること。さらに、この態様の汚物保管箱と、第一実施形態の吸引ポンプ３とにより、汚物保管セット１を構成すること。
（２）中袋５の開口部及び一対の内蓋片３０が互いに着脱可能な構成として、第二実施形態の構成に代えて、次のいずれかの態様にすること。
（２−１）中袋５の開口部及び一対の内蓋片３０を着脱手段（例えば、面ファスナー、粘着剤、両面粘着テープなど）により着脱可能に構成する態様。
（２−２）一対の内蓋片３０に切れ目や突部を設け、該切れ目や突部に中袋５の開口部を着脱可能に係止するように構成する態様。
【符号の説明】
【００５７】
１    汚物保管セット
２    汚物保管箱
３    吸引ポンプ
３ａ  吸気口
４    箱体
４ａ  蓋
５    中袋
５ａ  吸水剤
６    中蓋
７    袋体
８    口部
８ａ  チャック
８ｂ  スライダー
９    排気孔
９ａ  開口
９ｂ  逆止弁
１０    蓋
１１    荷造りテープ
１２    気体通路
２１    底蓋
２２    シール
２５    胴部
２６    側壁
２６ａ  継代片
２６ｂ  切れ目
２７    底片
２７ａ  接合部
２８    底片
２８ａ  被接合部
２９    天蓋片
２９ａ  差込片
３０    内蓋片
３１    支持片
３１ａ  切れ目
３２    表示
３３    口紐
Ｗ    汚物袋
【図１】
2013249202.tif 000003
【図２】
2013249202.tif 000004
【図３】
2013249202.tif 000005
【図４】
2013249202.tif 000006
【図５】
2013249202.tif 000007
【図６】
2013249202.tif 000008
【図７】
2013249202.tif 000009
【図８】
2013249202.tif 000010